(57)【要約】【課題】幾つかの種類の耕耘機に取り付けることができ、畦シート敷設を自動的に行うことができる、畦シート敷設装置を提供する。【解決手段】この畦シート敷設装置１０は、固定部材２０と、固定部材２０に設けられた畦シートロール装填部材２２と、前記固定部材２０に固定され、畦シートロール２００Ａから引き出された畦シートロール案内部材２４と、前記畦シートロール案内部材２４により案内された畦シート２００を畦溝の側面に添設させるための畦シート押圧部材２６とを有し、前記畦シートロール装填部材２２と前記畦シートロール案内部材２４と前記畦シート押圧部材２６とが、固定部材２０により耕耘機５０２に着脱自在に取り付けられるように構成されている。【選択図】図１
2006122043.tif 000002
【特許請求の範囲】
【請求項１】
畦際に溝を形成する溝形成器を有する耕耘機に装着される畦シート敷設装置であって、
溝形成器および／または溝形成器の支持部材に、着脱自在に固定される、固定部材と、
固定部材に設けられた畦シートロール装填部材と、
前記固定部材に固定され、畦シートロールから引き出された畦シートロール案内部材と、
前記畦シートロール案内部材により案内された畦シートを畦溝の側面に添設させるための畦シート押圧部材とを有し、
前記畦シートロール装填部材と前記畦シートロール案内部材と前記畦シート押圧部材とが、耕耘機の進行方向に向かって溝形成器の先端より後方であって覆土器より前方において、固定部材により耕耘機に着脱自在に取り付けられるように構成された、畦シート敷設装置。
【請求項２】
固定部材は、
長さ方向を有する固定本体と、該固定本体の前部に形成された固定部とを有し、
前記固定部は、支持部材に嵌合されるように形成された、請求項１に記載の畦シート敷設装置。
【請求項３】
畦シートロール装填部材は、
畦シートロールの中心孔に挿入される太さと、畦シートロールの幅に対応する長さを有する棒状体によって形成され、
固定部材の後方位置において、畦シートロールの上端側が前方に傾斜するように、上端が斜め前方に位置して突き出し設けられた、請求項１または２に記載の畦シート敷設装置。
【請求項４】
畦シートロール装填部材は、
畦シートロール装填部材の棒状体の下端において、棒状体の長さ方向に対して交差する方向に向けて突き出し設けられ、畦シートロールの下端部を支持する畦シートロール支持体を有する、請求項３に記載の畦シート敷設装置。
【請求項５】
畦シートロール案内部材は、
前方に向けて引き出された畦シートロールの畦溝とは反対側の面と当接し、畦シートロールを後方に向けて案内する、回転自在な案内ロールを有し、
該案内ロールは、
畦シートロールよりやや上方に向けて引き出された畦シートロールの下部に当接する大きな径の案内ロールと、該畦シートロールの上部に当接する小さな径の案内ロールとを有する、請求項１ないし４のいずれかに記載の畦シート敷設装置。
【請求項６】
畦シート押圧部材は、
突き出された保持体に、畦シートの幅方向において揺動して、畦シートの畦溝と接する面とは反対側の面に接するように押圧体が設けられた、請求項１ないし５のいずれかに記載の畦シート敷設装置。
【請求項７】
畦シート押圧部材の保持体は、
固定部材側に連結された第１保持体と、
第１保持体より畦溝側に突き出された第２保持体と、
第２保持体に上下方向において揺動するように設けられた第３保持体と、
第３保持体に上下方向に分かれて、畦シートの流れに沿って回転するように設けられた押圧ローラとを有する、請求項６に記載の畦シート敷設装置。
【請求項８】
覆土器は、溝形成器の後方で畦シートロール案内部材側とは反対側に分けられた土を、移動方向とは反対側に向けて回転しながら畦シートに向けて寄せる、回転盤を備えた、畦シート敷設装置。
【発明の詳細な説明】
【技術分野】
【０００１】
この発明は、畦の側面に防水用のシートを敷設する畦シート敷設装置に関するものである。
【背景技術】
【０００２】
圃場の畦に嵌め込まれる防水シートとして、波板形状で薄板状のものがあり、薄板状のものは、畦に埋めて使用したのち取り出し再び使用するといったように、繰り返し畦に埋めて使用することができ、防水性もよいが、その敷設には、人力に頼ることが多かった。そこで、畦シート敷設装置を自動化することができる畦シート敷設装置が提案されている。
【０００３】
【特許文献１】特開平７−２０３７０４号公報
【発明の開示】
【発明が解決しようとする課題】
【０００４】
この畦シート敷設装置は、畦際に溝を形成する溝形成器と、シートを巻き状態で支持するシートドラムと、このシートドラム内のシート巻き部から順次繰り出したシートを下方に、及び畦側面に沿うように、案内する変更ローラとを設けたもので、シートを溝の底に到達させ、且つ、畦側面に確実且つ適正に添設することができるという効果を奏するものとして提案されている。
しかしながら、この畦シート敷設装置は、構造が複雑で特定の耕耘機にしか取り付けられないように構成されたもので、幾つかの種類の耕耘機に取り付けられず、汎用性を有しない。つまり、一台あたりのコストが高くなり、他の耕耘機に転用することができないものであった。
そのために、一台あたりのコストを抑え、他の耕耘機にも転用できるように構成された比較的簡単な構造の畦シート敷設装置が望まれている。
【０００５】
それゆえに、この発明の主たる目的は、幾つかの種類の耕耘機に取り付けることができ、畦シート敷設を自動的に行うことができる、畦シート敷設装置を提供することである。
【課題を解決するための手段】
【０００６】
この発明の請求項１にかかる畦シート敷設装置は、畦際に溝を形成する溝形成器を有する耕耘機に装着される畦シート敷設装置であって、溝形成器および／または溝形成器の支持部材に、着脱自在に固定される、固定部材と、固定部材に設けられた畦シートロール装填部材と、前記固定部材に固定され、畦シートロールから引き出された畦シートロール案内部材と、前記畦シートロール案内部材により案内された畦シートを畦溝の側面に添設させるための畦シート押圧部材とを有し、前記畦シートロール装填部材と前記畦シートロール案内部材と前記畦シート押圧部材とが、耕耘機の進行方向に向かって溝形成器の先端より後方であって覆土器より前方において、固定部材により耕耘機に着脱自在に取り付けられるように構成された、畦シート敷設装置である。
この発明の請求項２にかかる畦シート敷設装置は、固定部材は、長さ方向を有する固定本体と、該固定本体の前部に形成された固定部とを有し、前記固定部は、支持部材に嵌合されるように形成された、請求項１に記載の畦シート敷設装置である。
この発明の請求項３にかかる畦シート敷設装置は、畦シートロール装填部材は、畦シートロールの中心孔に挿入される太さと、畦シートロールの幅に対応する長さを有する棒状体によって形成され、固定部材の後方位置において、畦シートロールの上端側が前方に傾斜するように、上端が斜め前方に位置して突き出し設けられた、請求項１または２に記載の畦シート敷設装置である。
この発明の請求項４にかかる畦シート敷設装置は、畦シートロール装填部材は、畦シートロール装填部材の棒状体の下端において、棒状体の長さ方向に対して交差する方向に向けて突き出し設けられ、畦シートロールの下端部を支持する畦シートロール支持体を有する、請求項３に記載の畦シート敷設装置である。
この発明の請求項５にかかる畦シート敷設装置は、畦シートロール案内部材は、前方に向けて引き出された畦シートロールの畦溝とは反対側の面と当接し、畦シートロールを後方に向けて案内する、回転自在な案内ロールを有し、該案内ロールは、畦シートロールよりやや上方に向けて引き出された畦シートロールの下部に当接する大きな径の案内ロールと、該畦シートロールの上部に当接する小さな径の案内ロールとを有する、請求項１ないし４のいずれかに記載の畦シート敷設装置である。
この発明の請求項６にかかる畦シート敷設装置は、畦シート押圧部材は、突き出された保持体に、畦シートの幅方向において揺動して、畦シートの畦溝と接する面とは反対側の面に接するように押圧体が設けられた、請求項１ないし５のいずれかに記載の畦シート敷設装置である。
この発明の請求項７にかかる畦シート敷設装置は、畦シート押圧部材の保持体は、固定部材側に連結された第１保持体と、第１保持体より畦溝側に突き出された第２保持体と、第２保持体に上下方向において揺動するように設けられた第３保持体と、第３保持体に上下方向に分かれて、畦シートの流れに沿って回転するように設けられた押圧ローラとを有する、請求項６に記載の畦シート敷設装置である。
この発明の請求項８にかかる畦シート敷設装置は、覆土器は、溝形成器の後方で畦シートロール案内部材側とは反対側に分けられた土を、移動方向とは反対側に向けて回転しながら畦シートに向けて寄せる、回転盤を備えた、畦シート敷設装置である。
【発明の効果】
【０００７】
この発明によれば、溝形成器および／または溝形成器の支持部材に、着脱自在に固定される、固定部材と、固定部材に設けられた畦シートロール装填部材と、固定部材に固定され、畦シートロールから引き出された畦シートロール案内部材と、畦シートロール案内部材により案内された畦シートを畦溝の側面に添設させる畦シート押圧部材とを有し、畦シートロール装填部材と、畦シートロール案内部材と、畦シート押圧部材とが、耕耘機の進行方向に向かって、溝形成器の先端より後方であって覆土器より前方において、固定部材により耕耘機に着脱自在に取り付けられるように構成されているので、畦シート敷設装置として、単独で用いることができ、且つ、固定部材により耕耘機に着脱自在に取り付けられるため、他種の耕耘機に取り付けることができる。
この発明の請求項２によれば、固定部材は、長さ方向を有する固定本体と、該固定本体の前部に形成された固定部が、溝形成器を支持する支持部材に嵌合されることによって固定されるので、耕耘機の支持部材に嵌合させるだけで、畦シート敷設装置を着脱自在に取り付けることができ、他種の耕耘機にも取り付けが可能である。
請求項３の発明によれば、畦シートロール装填部材は、畦シートロールの中心孔に挿入される太さと、畦シートロールの幅に対応する長さを有する棒状体によって形成され、固定部材の後方位置において、畦シートロールの上端側が前方に傾斜するように、上端が斜めに前方に位置して突き出し設けられているので、畦シートロールから畦シートを巻戻しながら、前方から畦に向けて送り出すことができる。
請求項４の発明によれば、畦シートロール装填部材は、畦シートロール装填部材の棒状体の下端において、棒状体の長さ方向に対して交差する方向に向けて突き出し設けられ、畦シートロールの下端部を支持する畦シートロール支持体を有するので、畦シートロールの下端を支持しながら、畦シートロールを回転させつつ、巻き戻させることができる。
請求項５の発明によれば、畦シートロール案内部材は、前方に向けて引き出された畦シートロールの畦溝とは反対側の面と当接し、畦シートロールを後方に向けて案内する、回転自在なロールを有し、該案内ロールは、畦シートロールよりやや上方に向けて引き出された畦シートロールの下部に当接する大きな径に案内ロールと、該畦シートロールの上部に当接する小さな径の案内ロールとを有するので、畦シートを畦溝の底に向かって斜め下に誘導することができる。
請求項６の発明によれば、畦シート押圧部材は、突き出された保持体に、畦シートの幅方向において揺動して、畦シートの畦溝と接する面とは反対側に接するように押圧体が設けられているので、畦シートを畦溝の溝壁に向けて密着させることができる。
請求項７の発明によれば、畦シート押圧部材の保持体は、固定部材側に連結された第１保持体と、第１保持体より畦溝側に突き出された第２保持体と、第２保持体に上下方向において揺動するように設けられた第３保持体と、第３保持体に上下方向に分かれて、畦シートの流れに沿って回転するように設けられた押圧ロールとを有するので、畦シートを畦溝の溝壁に向けて密着させることができる。
請求項８の発明によれば、覆土器は、溝形成器の後方で畦シートロール案内部材側とは反対側に分けられた土を、移動方向とは反対側に向けて回転しながら畦シートに向けて寄せる、回転盤を備えているので、種々の土質に対応して、畦シートに向けて土を寄せることができる。
【０００８】
この発明の上述の目的、その他の目的、特徴および利点は、図面を参照して行う以下の発明を実施するための最良の形態の説明から一層明らかとなろう。
【０００９】
また、この明細書において、前方とは、耕耘機の進行方向の前側を言い、後方とは、耕耘機の進行方向の後側を言う。
【発明を実施するための最良の形態】
【００１０】
図１は、この発明の一実施の形態である畦シート敷設装置の斜視図解図である。
図２は、図１図示畦シート敷設装置を後方側面から見た斜視図解図である。
図３は、図１図示畦シート敷設装置の要部の斜視図解図である。
この畦シート敷設装置１０は、トラクター５００の後方に装着されたロータリー耕耘機５０２に設けられた溝形成器１２の支持部材１４に固定されるものである。
支持部材１４は、ロータリー耕耘機５０２の上部を覆うカバー５０４より突き出し設けられた支持棒１４ａの先端より垂下された支持棒１４ｂを有するもので、支持棒１４ｂの中間にこの発明にかかる畦シート敷設装置１０が着脱自在に固定されている。
【００１１】
溝形成器１２は、ロータリー耕耘機５０２の側部に向けて、その先端が浮くように支持部材１４に着脱自在に取り付けられているが、この溝形成器１２は、左側の土分け板体１２ａと、右側の土分け板体１２ｂとがその先端が鋭角となるように突き合わせられ、その底部に左右の土分け板体１２ａおよび１２ｂを適宜な間隔を置いて固定するための底板体１２ｃが設けられている。
そして、溝形成器１２は、土分け板体１２ａと土分け板体１２ｂとの間に設けられた吊り下げ体１２ｄによって、支持部材１４の支持棒１４ｂの下端に吊り下げ固定されている。
吊り下げ体１２ｄは、土分け板体１２ａと土分け板体１２ｂから突き出し設けられた連結棒体１２ｅと、該連結棒体１２ｅの先端に固定された嵌挿筒体１２ｆとを備え、嵌挿筒体１２ｆの胴部に螺合された螺子棒１２ｇを、支持棒１４ｂの胴部に穿設された固定孔１４ｃに嵌挿して、溝形成器１２を支持部材１４に着脱自在に固定するよう構成されている。
【００１２】
畦シート敷設装置１０は、支持部材１４に固定するための固定部材２０と、前記固定部材２０に設けられた畦シートロール装填部材２２と、固定部材２０に固定される畦シートロール案内部材２４と、畦シートロール案内部材２４より溝形成器１２で形成される畦溝の側面に添設させる畦シート押圧部材２６とを有し、畦シートロール装填部材２２と、畦シートロール案内部材２４と、畦シート押圧部材２６とが、トラクター５００のロータリー耕耘機５０２の進行方向に向かって、溝形成器１２の先端より後方であって覆土器１６より前方において、固定部材２０によってトラクター５００のロータリー耕耘機５０２に着脱自在に取り付けられるように構成されている。
【００１３】
固定部材２０は、畦シートロール装填部材２２の上側を支持部材１４に固定するものと畦シートロール装填部材２２の下側を溝形成器１２に固定するものとからなり、前者の畦シートロール装填部材２２の上側を支持部材１４に固定する固定部材２０は、長さ方向を有する断面Ｌ字型板状の固定本体３０と、該固定本体３０の前部に形成された固定部３２とを有する。
該固定部３２は、支持部材１４の支持棒１４ｂの形状（断面真円形状の円柱形状）に沿う断面真円の円筒状に形成され、該固定部３２を支持部材１４に嵌挿させ、固定部３２の一部に形成された螺子孔３４に螺合された螺子棒３６を、支持棒１４ｂに穿設された固定孔１４ｃに嵌挿して取り付けられるように構成されている。
そして、固定部材２０の固定本体３０は、支持部材１４に固定された溝形成器１２の後方に向けて突き出し設けられるように構成されている。
【００１４】
前記固定部材２０の固定本体３０の後部には、畦シートロール２２を着脱自在に固定するために、枢軸部３０ａが突設され、枢軸部３０ａに畦シートロール装填部材２２が着脱自在に固定されている。
畦シートロール装填部材２２は、中空円柱状で、前記固定部材２０の固定本体３０の後方に形成された枢軸部３０ａに着脱自在に嵌挿され、枢軸部３０ａ側より下方に向けて突き出し設けられたロール回転部４０と、該ロール回転部４０の下端においてロール回転部４０の長さ方向に対して交差する方向に向けて突き出し設けられ、畦シートロール２００Ａの下端部を支持する畦シートロール支持体４２とを有する。
【００１５】
ロール回転部４０は、棒状体でその畦シートロール２００Ａの中心孔に挿入される太さと、畦シートロール２００Ａの幅に対応する長さを有し、全体がロール回転部４０の下端部の方が先端部より後方に傾斜するように固定部材２０の固定本体３０の後方位置から突き出し設けられている。
【００１６】
畦シートロール支持体４２は、前記ロール回転部４０と直交するようにロール回転部４０の下端に固定され、その前端が溝形成器１２側の先端部側に向けて突き出され、その後端は後方に向けて突き出され、その上面において、畦シートロール２００Ａの下端部を保持するように構成されている。
畦シートロール装填部材２２の畦シートロール支持体４２の下部には、その先端から後端に亘って補強体４４が架け渡されている。
畦シートロール支持体４２の前方先端は、この畦シート敷設装置１０を溝形成器１２に固定するための固定部材２０を構成する。この固定部材２０は、畦シートロール支持体４２の先端にボルト・ナット等の固着具４２ｂにて回動自在に固定された平板部４２ａを備え、平板部４２ａに形成された螺子孔に螺合されたボルト・ナット等の固着具４２ｃによって溝形成器１２の底板体１２ｃに螺着された、一方の固定部材２０を構成する。
【００１７】
畦シートロール装填部材２２の畦シートロール支持体４２の前部には、畦シートロール案内部材２４を構成する案内ロール５０が回転自在に設けられている。
畦シートロール案内部材２４は、畦シートロール２００Ａより前方に向けて引き出された畦シート２００の畦溝とは反対側の面と当接し、畦シート２００を後方に向けて案内するものであり、前記案内ロール５０と、その案内ロール５０とは別に、前記案内ロール５０の上方において、畦シート２００の幅よりは略短い距離をおいて固定部材２０に固定された案内ロール５２とを有する。
案内ロール５０は、畦シートロール装填部材２２よりやや上方に向けて引き出された畦シート２００の下部に当接する大きな径のロールであり、案内ロール５２は、畦シート２００の上部に当接する小さな径のロールである。
案内ロール５０が、案内ロール５２よりその径を大きく形成されているのは、畦シートロール２００Ａが畦溝の底部より高い位置に装填されるため、畦シートロール２００Ａから引き出された畦シート２００を畦溝の底に向かって斜め下に誘導する必要性があるためである。すなわち、案内ロール５０および案内ロール５２において、一旦前方に引き出された畦シート２００が折り返し、後方に向けて水平方向に引き出す時に、畦シート２００の下側で緩みが生じるため、その緩みをなくした状態で一旦上方に向けて前方に引き出された畦シート２００を後方の畦溝の底部に向けて水平方向に引き出すことができるようにするためである。
【００１８】
畦シート押圧部材２６は、畦シートロール装填部材２２に装填された畦シートロール２００Ａを前方に引き出し、畦シートロール案内部材２４において方向転換をし、後方に向けて引き出された畦シートロール２００Ａを畦溝側面に向けて添設するものであり、突き出された保持体６０と、保持体６０に畦シート２００の幅方向において揺動して、畦シート２００の畦溝と接する面とは反対側の面にて畦シート２００と接するように、設けられた押圧体６２とを備えている。
【００１９】
保持体６０は、畦シートロール装填部材２２の畦シートロール支持体４２の後端において、下方に向けて突き出し設けられた板状第１保持体６４と、該第１保持体６４より畦溝側に突き出された正面Ｌ字型の第２保持体６６と、第２保持体６６の垂直方向において揺動するように延びる板状第３保持体６８とを備える。押圧体６２は、第３保持体６８に垂直方向に分かれて畦シート２００の流れに沿って回転するように設けられた、上下一対の押圧ローラ７０を備える。
第１保持体６４は、その下端部近傍に円筒状枢軸部７２が固定され、第２保持体６６は、該円筒状枢軸部７２に円柱状枢軸部７４にて回動自在に固定され、第３保持体６８は、第２保持体６６の水平部７６の先端に設けられた円柱状枢軸部７８を、第３保持体６８の中央に設けられた円筒状枢軸部８０に嵌合して、第２保持体６６に回動自在に固定されている。
【００２０】
第３保持体６８の上端と第１保持体６４の上端との間には、弾発部材８２が設けられている。
また、第３保持体６８と補強体４４との間に弾発部材８４が架け渡されている。
弾発部材８２及び弾発部材８４は、畦溝に添設された畦シート２００を畦溝の溝壁に向けて押圧するように、構成されている。
【００２１】
第１保持体６４の上端には、溝形成器１２の延長部９０との間において、畦シートロール装填部材２２を適宜な方向に向けて固定し、畦シート２００を畦溝の最適な位置において添設できるように、その位置決めをするための補強材８６が架け渡されている。
補強材８６は、第１保持体６４の上端に設けられた軸受け８８と溝形成器１２の延長部９０の畦溝側に設けられた軸受け９２との間において軸支されて架け渡されている。
【００２２】
覆土器１６は、トラクター５００のロータリー耕耘機５０２を覆うカバー５０４より延びる支持棒５０６の下端の側端に、上下位置調整可能な位置にて取り付けられた第２支持棒５０８の下端に、回転自在に支持されている。
【００２３】
次に、前記したように構成された畦シート敷設装置１０によって、畦シート２００を敷設する方法について説明する。
トラクター５００を走行しながら、ロータリー耕耘機５０２で圃場の畦際を耕耘し、その畦際をロータリー耕耘機５０２の側部に装着された溝形成器１２によって土をさらい、畦溝の底が水平になるように成形する。
【００２４】
さらに、畦シートロール装填部材２２に装填された畦シートロール２００Ａから畦シート２００を前方に引き出し、畦シートロール案内部材２４において、すなわち、案内ロール５０および案内ロール５２において方向転換し、畦シート押圧部材２６を経て、畦シート２００の先端を畦溝内に挿入し、人為的に固定する。
【００２５】
そして、トラクター５００を走行すると、畦シート２００は、畦シートロール案内部材２４から畦シートロール２００Ａの回転によって、順次前方に向けて繰り出され、やや上方に向けて繰り出された畦シート２００は、畦シートロール案内部材２４を構成する案内ロール５０および案内ロール５２の作用により略水平方向に向けて後方に繰り出され、畦溝近傍に向かう。
そのとき、畦シート押圧部材２６が作用し、畦シート２００は畦溝に添設される。
このようにして送られた畦シート２００は、畦溝の溝底にほぼ達し、その後、覆土器１６によって、溝形成器１２の延長部９０によって畦溝側方に積まれた土を畦溝表面に添設された畦シート２００側に寄せられ、寄せられた土によって畦シート２００を固定する。
【００２６】
この発明は、前記実施の形態に限らず、この発明の思想に基づき種々変更することが可能である。
前記実施の形態の覆土器１６は、土壌が粘土質の場合には適さないことがある。
従って、前記覆土器１６に代えて、覆土器を、図８ないし１１に示すように、覆土する土の抵抗を受けたときに回転しながら畦シート２０に向けて寄せてゆくことができる構造とすれば、どのような土質にも対応することができる。すなわち、覆土器は、溝形成器１２の後方で溝形成器１２の土分け板体１２ａの後方に形成された延長部９０側、すなわち畦シートロール案内部材２４側とは反対側に分けられた土を、畦シート敷設装置１０の移動方向とは反対側に向けて回転しながら、前記土を畦シート２００に向けて寄せる回転盤を備える。
図８ないし１１に示す覆土器６１６は、畦シートロール支持体４２の後端に連設され、延長部９０の後方で、押圧体６２より後方の位置において設けられた回転盤６２０を含む。
【００２７】
回転盤６２０は、中味の詰まっていない球面を平行な２平面で切った球帽状であり、その中心において、支持軸６２２により、第１支持棒６２４に回転自在に取り付けられている。
【００２８】
第１支持棒６２４は、垂直方向に伸びる円柱状体からなり、その上端において、畦シートロール支持体４２の後端から伸びた第２支持棒６２６に固定されている。
第２支持棒６２６は、略Ｌ字型で、水平部６２８と垂直部６３０とを備え、水平部６２８の先端において、第１支持棒６２４が垂直部６３０と平行に固定されている。
【００２９】
第２支持棒６２６の水平部６２８の先端には、円筒状の連結部６３２が垂直方向に伸びるように突設されている。
連結部６３２は、第１支持棒６２４を嵌挿するための貫通孔６３４が貫設され、且つ上下方向に適宜な間隔をおいて、覆土器６１６の高さ方向の位置決めをして、覆土器６１６を支持する第１支持棒６２４を固定するための複数の固定孔６３６が穿設され、ピン６６０もしくは雄ねじで第１支持棒６２４を第１支持棒６２４の上部に形成された孔６３８もしくは螺子孔に嵌挿もしくは螺着できるように構成されている。回転盤６２０が回転しながら進む進行方向を変更するために、固定孔６３６は、例えば、畦シート敷設装置１０の進行方向（図１１矢印）と２２．５度及び４５度の角度を有して、連結部６３２の円周方向に間隔をおいて、２列の固定孔（第１列の固定孔６３６ａ,第２列の固定孔６３６ｂ）が形成されている。
したがって、土質に対応して、図１１に示すように、畦シート敷設装置１０の進む進行方向（図１１矢印）に対する角度を変更して、回転盤６２０を固定することができる。
【００３０】
第２支持棒６２６の垂直部６３０は、畦シートロール支持体４２の後端の第１保持体６４に固着された支持棒支持部６４０に嵌挿して固定される。
支持棒支持部６４０は、円筒状体で垂直方向に伸びるようにその外表面で第１保持体６４に固着されている。
支持棒支持部６４０は、第２支持棒６２６の垂直部６３０を嵌挿するための貫通孔６４２が貫設され、且つ上下方向に適宜な間隔をおいて、覆土器６１６の高さ方向の位置決めをして、第２支持棒６２６を固定するための複数の固定孔６４４が穿設され、ピン６６０もしくは雄ねじで、第２支持棒６２６の垂直部６３０の下部に形成された孔６４６もしくは螺子孔に嵌挿もしくは螺着できるように構成されている。
【００３１】
覆土器６１６は、溝形成器１２を構成する土分け板体１２ａ及び延長部９０と土分け板体１２ｂとの延長線上の内側であって、畦シート押圧部材２６の内側に位置し、トラクター５００の進行方向に沿って敷設される畦シート２００の延びる線とは、交差する方向に向けて、溝形成器１２の後方に固定される。
【００３２】
覆土器６１６は、土分け板体１２ａ及び延長部９０でかき分けられた土を、畦溝表面に添設された畦シート２００の内面に向けて案内するように、その前端側がトラクター５００の進行方向に対してやや開いて傾斜した状態に固定され、土の抵抗を受けて回転しながら畦シート２００に土を寄せる。
【００３３】
次に、この長尺帯状の畦シート２００をロール状に巻き重ねるための巻き取り器３００について、図８ないし１４に基づいて説明する。
この巻き取り器３００は、畦シート２００をその外周にロール状に巻き重ねるための回転棒３０２と、回転棒３０２の両端近傍に設けられ、畦シート２００をロール状に巻いたときのシートロールの幅を調整する一対の幅調整輪３０４及び幅調整輪３０６と、回転棒３０２の一端に延設された回転棒３０２を回転させるためのハンドル３０８と、その上部に設けられた回転軸受け３１０にて前記回転棒３０２を支持する基台３１２とを備える。
【００３４】
回転棒３０２は、畦シート２００の幅よりも長い長さを有する円柱状であり、その長手方向に連続して畦シート２００の端部を挟み込む為の幅狭の挟持穴３１２Ａが設けられ、ハンドル３０８が設けられた端部とは反対側の端部には、幅調整輪３０６を脱着自在に固定するための嵌挿溝３１４が穿設されている。嵌挿溝３１４は、幅調整輪３０６の軸心に設けられた板状嵌挿体３０６ｂを嵌挿されるような幅と奥行きを備えており、嵌挿溝３１４は、幅調整輪３０６の滑り軸３０６ａに嵌挿して幅調整輪３０６に固定される。
【００３５】
また、幅調整輪３０４及び幅調整輪３０６は、その回転軸の軸心の外側に基台３１２の回転軸受け３１０において回転自在に軸支されるための滑り軸３０４ａおよび滑り軸３０６ａが、それぞれ設けられている。
滑り軸３０４ａは、幅調整輪３０４が回転棒３０２に固定されたときの回転棒３０２より外側において形成され、滑り軸３０６ａは、幅調整輪３０６が回転棒３０２も固定されたときの回転棒３０２より外側において形成され、その外形は円板状である。この実施の形態においては、ハンドル３０８は、滑り軸３０４ａの外側に形成され、板状嵌挿体３０６ｂは、滑り軸３０６ａの中空部内に形成されている。
【００３６】
基台３１２の上端に設けられた回転軸受け３１０は、前記幅調整輪３０４の滑り軸３０４ａ及び幅調整輪３０６の滑り軸３０６ａの外形（すなわち、円柱状）に対応した略Ｕ字型に形成され、その内側面に載置された滑り軸３０４ａおよび滑り軸３０６ａを回転自在に支持している。
【００３７】
基台３１２は、回転棒３０２よりわずかに長い間隔をおいて設けられた、回転棒３０２の両端を支持するための略Ｕ字型脚部３１６及び脚部３１８と、左右一対の該脚部３１６と脚部３１８との間でその前後において架け渡された保持部３２０とを有する。
【００３８】
保持部３２０は、脚部３１６及び脚部３１８の高さ方向の中央部であって幅調整輪３０４及び幅調整輪３０６の下端より更に下方において架け渡された保持棒３２２と、脚部３１６及び脚部３１８の下部近傍において幅方向に架け渡された保持棒３２４と、二股状脚部３１６の両端において架け渡された保持棒３２６と、二股状脚部３１８の両端において架け渡された保持棒３２８とからなる。
脚部３１６と脚部３１８に架け渡された一対の保持棒３２４の間には、更に前記保持棒３２６の上で平行に保持棒３３０が架け渡され、且つ前記保持棒３２８の上で平行に保持棒３３２が掛け渡されている。
【００３９】
保持棒３２２の前方には、回転軸受け３１０より下部において、平面視コ字型の巻き重ねられる畦シート２００の方向を整えるための方向付け体３３４が突設されている。方向付け体３３４は、保持棒３２２及び回転棒３０２と平行な直線状部３３６に中空円筒状の回転筒３３８が回転自在に嵌挿され、直線状体３３６の両端には畦シート２００の幅調整のための幅調整固定部３４０及び幅調整固定部３４２が突設され、幅調整固定部３４０及び幅調整固定部３４２が一対の幅調整輪３０４と幅調整輪３０６との間において保持棒３２２に固定されている。そして、回転筒３３８と保持棒３２２との間に嵌挿された畦シート２００が、幅調整固定部３４０と幅調整固定部３４２との間において、円滑に回転棒３０２に向けて進み、畦シート２００の両端が揃った状態で回転棒３０２の周囲に巻き重ねられるように形成されている。
【００４０】
脚部３１６及び脚部３１８の下端は、土の中に差し込むことができるようにするために、その先端は、やや先鋭に形成されている。
【００４１】
この巻き取り器３００の使用方法について次に説明する。
まず、保持棒３２２と方向付け体３３４の回転筒３３８との間に畦シート２００を嵌挿して回転棒３０２の挟持穴３１２Ａに畦シート２００の先端を挿入し、幅調整輪３０４と幅調整輪３０６との間において、畦シート２００の先端部を挿入し、回転棒３０２の長手方向と交差する方向に延ばされた畦シート２００を、ハンドル３０８を回転することにより、回転棒３０２の周囲に巻き重ねる。
しかるべき大きさのロール状になった畦シートロール２００Ａは、着脱自在の幅調整輪３０６を回転棒３０２の嵌挿溝３１４から外し、回転棒３０２から抜取ることにより、前記した畦シート敷設装置１０にロール状の状態にて用いることができる。
【００４２】
回転棒３０２の挟持穴３１２Ａは、幅調整輪３０４の内側端より回転棒３０２の一端（着脱自在の幅調整輪３０６が固定された端部）に向けて連続して形成され、ロール状に巻かれた畦シート２００を回転棒３０２の長手方向に滑らせて、挟持穴３１２Ａに差し込まれた畦シート２００の先端部は、挟持穴３１２Ａに沿って抜取ることができるように構成されている。
【図面の簡単な説明】
【００４３】
【図１】この発明の一実施の形態である畦シート敷設装置の斜視図解図である。
【図２】図１図示畦シート敷設装置を後方側面から見た斜視図解図である。
【図３】図１図示畦シート敷設装置の要部の斜視図解図である。
【図４】図１図示畦シート敷設装置の固定部材の斜視図解図である。
【図５】図１図示畦シート敷設装置の利用方法を示す斜視図解図である。
【図６】図１図示畦シート敷設装置の利用方法を示す斜視図解図である。
【図７】図１図示畦シート敷設装置の利用方法を示す斜視図解図である。
【図８】変形側たる覆土器及びその取り付け構造を示す斜視図解図である。
【図９】変形側たる覆土器の斜視図解図である。
【図１０】変形側たる覆土器が取り付けられた畦シート敷設装置の斜視図解図である。
【図１１】図１０図示畦シートの敷設装置の利用方法を示す斜視図解図である。
【図１２】巻き取り器の斜視図解図である。
【図１３】図８図示巻き取り器の背面から視た斜視図解図である。
【図１４】巻き取り器の基台の斜視図解図である。
【図１５】回転棒および一方の幅調整輪の斜視図解図である。
【図１６】他方の幅調整輪の側面図解図である。
【図１７】他方の幅調整輪の内側より視た斜視図解図である。
【図１８】他方の幅調整輪の外側より視た斜視図解図である。
【符号の説明】
【００４４】
１０  畦シート敷設装置
１２  溝形成器
１２ａ，１２ｂ  土分け板体
１２ｃ  底板体
１２ｄ  吊り下げ体
１２ｅ  連結棒体
１２ｆ  嵌挿筒体
１２ｇ  螺子棒
１４  支持部材
１４ａ，１４ｂ  支持棒
１４ｃ  固定孔
１６  覆土器
２０  固定部材
２２  畦シートロール装填部材
２４  畦シートロール案内部材
２６  畦シート押圧部材
３０  固定本体
３０ａ  枢軸部
３２  固定部
３４  螺子孔
３６  螺子棒
４０  ロール回転部
４２  畦シートロール支持体
４２ａ  平板部
４２ｂ,４２ｃ  ボルト・ナット等の固着具
４４  補強体
５０，５２  案内ロール
６０  保持体
６２  押圧体
６４  第１保持体
６６  第２保持体
６８  第３保持体
７０  押圧ローラ
７２，７４，７８，８０  枢軸部
７６  水平部
８２，８４  弾発部材
８６  補強材
８８  軸受け
９０  延長部
９２  軸受け
２００  畦シート
２００Ａ  畦シートロール
３００  巻き取り器
３０２  回転棒
３０４，３０６  幅調整輪
３０４ａ，３０６ａ  滑り軸
３０６ｂ  板状嵌挿体
３０８  ハンドル
３１０  回転軸受け
３１２  基台
３１２Ａ  挟持穴
３１４  嵌挿溝
３１６，３１８  脚部
３２０  保持部
３２２，３２４，３２６，３２８，３３０,３３２  保持棒
３３４  方向付け体
３３６  直線状体
３３８  回転筒
３４０,３４２  幅調整固定部
５００  トラクター
５０２  ロータリー耕耘機
５０４  カバー
５０６  支持棒
５０８  第２の支持棒
６１６  覆土器
６２０  回転盤
６２２  支持軸
６２４  第１支持棒
６２６  第２支持棒
６２８  水平部
６３０  垂直部
６３２  連結部
６３４  貫通孔
６３６  固定孔
６３８  孔
６４０  支持棒支持部
６４２  貫通孔
６４４  固定孔
６４６  孔
【図１】
2006122043.tif 000003
【図２】
2006122043.tif 000004
【図３】
2006122043.tif 000005
【図４】
2006122043.tif 000006
【図５】
2006122043.tif 000007
【図６】
2006122043.tif 000008
【図７】
2006122043.tif 000009
【図８】
2006122043.tif 000010
【図９】
2006122043.tif 000011
【図１０】
2006122043.tif 000012
【図１１】
2006122043.tif 000013
【図１２】
2006122043.tif 000014
【図１３】
2006122043.tif 000015
【図１４】
2006122043.tif 000016
【図１５】
2006122043.tif 000017
【図１６】
2006122043.tif 000018
【図１７】
2006122043.tif 000019
【図１８】
2006122043.tif 000020